(57)【要約】少なくとも、カメラモジュール（１０）と、カメラモジュール（１０）およびその他の構造を配置するためのプリント配線基板（３０）とを備える携帯用電子装置が開示されている。ここで、カメラモジュール（１０）は、入力アパーチャ（１２）を有する光学系ゾーン（１１）と、カメラモジュール（１０）を受け側の接触子（２２、３２）に接続するための接触子（１５）を有するコネクタゾーン（１４）とを具備する。上記携帯用電子装置において、カメラモジュール（１０）の光学系ゾーン（１１）とコネクタゾーン（１４）とは、プリント配線基板（３０）の異なる側部にそれぞれ配置される。さらに、本発明は、カメラモジュール（１０）、フレーム構造（２０）、プリント配線基板（３０）、フレーム構造（２０）とプリント配線基板（３０）との組み合わせ、および、カメラモジュールを携帯用電子装置に配置する方法を呈示する。
2006516358.tif 000002
【特許請求の範囲】
【請求項１】
少なくともカメラモジュール（１０）を備える携帯用電子装置であって、少なくとも、
入力アパーチャ（１２）を有する光学系ゾーン（１１）と、
前記カメラモジュール（１０）を受け側の接触子（２２、３２）に接続するための接触子（１５）を少なくとも有するコネクタゾーン（１４）と、
前記カメラモジュールおよびその他の構造を配置するための互いに平行な第１の側部と第２の側部とを含むプリント配線基板（３０）とを具備しており、
前記カメラモジュール（１０）の前記光学系ゾーン（１１）と前記コネクタゾーン（１４）とが、前記プリント配線基板（３０）の異なる側部にそれぞれ定置されることを特徴とする携帯用電子装置。
【請求項２】
前記プリント配線基板（３０）が、前記プリント配線基板を貫通するアパーチャ（３１）を少なくとも具備しており、前記カメラモジュール（１０）の前記光学系ゾーン（１１）が、少なくとも部分的に、前記プリント配線基板（３０）の前記アパーチャ（３１）の内部に配置されることを特徴とする請求項１に記載の携帯用電子装置。
【請求項３】
前記携帯用電子装置が、さらに、少なくともフレーム構造（２０）を備えており、前記フレーム構造（２０）は、少なくとも、
カメラモジュール（１０）を接続するための接触子（２２）と、
前記フレーム構造において前記プリント配線基板（３０）に対して配置され、かつ、前記第１の側部または前記第２の側部上に存在するアパーチャ（２１）とを具備し、
前記カメラモジュール（１０）の前記光学系ゾーン（１１）が、少なくとも部分的に、前記フレーム構造（２０）の前記アパーチャ（２１）の内部に配置されることを特徴とする請求項１または２に記載の携帯用電子装置。
【請求項４】
前記携帯用電子装置が、無線でデータを転送するように構成されることを特徴とする請求項１から３のいずれか一項に記載の携帯用電子装置。
【請求項５】
カメラモジュール（１０）を携帯用電子装置に配置するための方法であって、
入力アパーチャ（１２）とコネクタゾーン（１４）とを少なくとも具備する前記カメラモジュール（１０）が、前記携帯用電子装置の別の構造も配置されているプリント配線基板（３０）上に配設され、
前記カメラモジュール（１０）の前記入力アパーチャ（１２）が、前記プリント配線基板（３０）の一方の側部であって前記コネクタゾーン（１４）の側とは異なる側部上に定置されることを特徴とする、カメラモジュールを携帯用電子装置に配置する方法。
【請求項６】
前記カメラモジュール（１０）の少なくとも一部が、前記プリント配線基板（３０）を貫通して配置されることを特徴とする請求項５に記載の方法。
【請求項７】
フレーム構造（２０）を介して、前記プリント配線基板（３０）上に前記カメラモジュール（１０）が配設され、さらに、前記プリント配線基板（３０）は、該プリント配線基板を貫通するアパーチャ（３１）を少なくとも具備しており、
前記フレーム構造（２０）は、前記プリント配線基板（３０）の他方の側部に定置されているアパーチャ（２１）を少なくとも具備しており、
前記アパーチャ（３１、２１）は、前記カメラモジュール（１０）が、少なくとも部分的に、前記プリント配線基板の前記アパーチャ（３１）の内部、および前記フレーム構造の前記アパーチャ（２１）の内部に配置され得るような形式で互いに配設されていることを特徴とする請求項５または６に記載の方法。
【請求項８】
カメラモジュール（１０）を取り付けるためのプリント配線基板（３０）であって、
前記プリント配線基板（３０）内にアパーチャ（３１）が設けられ、
前記プリント配線基板（３０）内の前記アパーチャ（３１）を貫通して前記カメラモジュール（１０）の少なくとも一部が配置されることが可能であり、
前記カメラモジュールが適切な位置にあるときに、前記カメラモジュール（１０）と前記プリント配線基板（３０）との間の接触子（１５、２２および３２）が電気コンタクトを形成するように構成されることを特徴とするプリント配線基板。
【請求項９】
プリント配線基板（３０）、および、カメラモジュール（１０）を取り付けるために前記プリント配線基板（３０）に接続されるフレーム構造（２０）であって、
前記プリント配線基板（３０）内にアパーチャ（３１）が設けられ、
前記プリント配線基板（３０）の他方の側部に配置される前記フレーム構造内にアパーチャ（２１）が設けられ、
前記フレーム構造（２０）の前記アパーチャ（２１）を貫通して前記プリント配線基板（３０）の前記アパーチャ（３１）に向かって、前記カメラモジュール（１０）の少なくとも一部が配置され得るような形式で、前記アパーチャ（２１、３１）が配設されることを特徴とする、プリント配線基板およびフレーム構造。
【請求項１０】
請求項９に記載のプリント配線基板（３０）、および、前記プリント配線基板（３０）に接続されるフレーム構造（２０）であって、
前記カメラモジュール（１０）を接続するために前記フレーム構造（２０）内に接触子（２２）が設けられ、前記接触子（２２）は、
少なくとも前記プリント配線基板（３０）の方向に対して平行な側部に配置されるか、または、
前記プリント配線基板（３０）に対してほぼ垂直な少なくとも１つの側部に配置されるか、または、
少なくとも、前記プリント配線基板（３０）の方向に対して平行な第１の側部と、前記プリント配線基板（３０）に対してほぼ垂直な第２の側部とに配置されることを特徴とするプリント配線基板およびフレーム構造。
【請求項１１】
カメラモジュール（１０）を配置するためにプリント配線基板（３０）上に配置されるフレーム構造（２０）であって、前記フレーム構造は、少なくとも、
カメラモジュール（１０）を接続するための接触子（２２）と、
前記フレーム構造（２０）内に前記カメラモジュール（１０）を配置するための、第１の側部の取り付け用アパーチャとを具備しており、
前記取り付け用アパーチャに接続される前記フレーム構造（２０）の第２の側部にアパーチャ（２１）が設けられることを特徴とするフレーム構造。
【請求項１２】
請求項１１に記載のフレーム構造（２０）であって、前記フレーム構造（２０）の前記接触子（２２）は、
少なくとも前記アパーチャ（２１）と同一の側部に配置されるか、または、
前記アパーチャ（２１）を有する側部に対してほぼ垂直な少なくとも１つの側部に配置されるか、または、
少なくとも、前記アパーチャ（２１）と同一の第１の側部と、前記第１の側部に対してほぼ垂直な第２の側部とに配置されることを特徴とするフレーム構造。
【請求項１３】
少なくとも１つの接触子（２２）が、前記カメラモジュール（１０）をクランプするためのクランプ用素子として機能するように構成されることを特徴とする請求項１１または１２に記載のフレーム構造。
【請求項１４】
プリント配線基板（３０）上に配置されるカメラモジュール（１０）であって、前記カメラモジュールは、少なくとも、
入力アパーチャ（１２）を有する光学系ゾーン（１１）と、
前記カメラモジュール（１０）を受け側の接触子（２２、３２）に接続するための接触子（１５）を少なくとも有するコネクタゾーン（１４）とを具備しており、
前記カメラモジュール（１０）の作用方向（１）が、前記コネクタゾーン（１４）から前記入力アパーチャ（１２）への方向とほぼ同じになるように構成され、
前記カメラモジュール（１０）の前記光学系ゾーン（１１）が、少なくとも部分的に、前記プリント配線基板（３０）を貫通して配置されることが可能であり、
前記コネクタゾーン（１４）内の前記接触子（１５）は、
前記カメラモジュール（１０）の前記作用方向（１）に対して平行な少なくとも１つの側部に配置されるか、または、
少なくとも前記光学系ゾーン（１１）の前記入力アパーチャ（１２）の側部に配置されるか、または、
前記カメラモジュール（１０）の前記作用方向（１）に対して平行な少なくとも１つの側部と、前記光学系ゾーン（１１）の前記入力アパーチャ（１２）の側部とに配置されることを特徴とするカメラモジュール。
【発明の詳細な説明】
【技術分野】
【０００１】
本発明は、（添付の請求項１の序文に記載されているように）カメラモジュールと、入力アパーチャを有する光学系ゾーンと、カメラモジュールを受け側の接触子に接続するための接触子を有するコネクタゾーンと、上記カメラモジュールおよびその他の構造を配置するための互いに平行な第１の側部と第２の側部とを含むプリント配線基板（ＰＷＢ：printed wiring board）とを具備する携帯用電子装置に関する。
【０００２】
さらに、本発明は、（添付の請求項５の序文に記載されているように）入力アパーチャとコネクタゾーンとを具備するカメラモジュールが、携帯用電子装置の別の構造も配置されているプリント配線基板上に配設される場合のように、カメラモジュールを携帯用電子装置に配置する方法に関する。
【０００３】
さらに、本発明は、（添付の請求項８の序文に記載されているように）カメラモジュールを取り付けるためのプリント配線基板に関する。
さらに、本発明は、（添付の請求項９の序文に記載されているように）プリント配線基板、および、カメラモジュールを取り付けるために当該プリント配線基板に接続されるフレーム構造に関する。
【０００４】
さらに、本発明は、（添付の請求項１１の序文に記載されているように）カメラモジュールを配置するためにプリント配線基板上に配置されると共に、上記カメラモジュールを接続するための接触子と、フレーム構造内に上記カメラモジュールを配置するための、第１の側部の取り付け用アパーチャとを具備するフレーム構造に関する。
【０００５】
さらに、本発明は、（添付の請求項１４の序文に記載されているように）プリント配線基板上に配置されると共に、入力アパーチャを有する光学系ゾーンと、カメラモジュールを受け側の接触子に接続するための接触子を有するコネクタゾーンとを具備し、かつ、上記カメラモジュールの作用方向が、上記コネクタゾーンから上記入力アパーチャへの方向とほぼ同じになるように構成されるカメラモジュールに関する。
【背景技術】
【０００６】
現在、何らかの移動通信装置を用いて、周囲のディジタル画像を受け取ることが可能であり、何らかのアプリケーションで、移動通信ネットワークを介してこれらの画像を別の装置に転送することが可能である。画像を撮影するために、上記の携帯用電子装置は、カメラモジュールおよび必要な画像処理手段を通常具備するカメラ機能を備える必要がある。上記のカメラモジュールは、その一部として、一般に光学的構造と電気的構造とを具備している。カメラモジュールの光学系は１つまたは２つ以上のレンズにより構成されることが可能であり、これらのレンズによって、入力アパーチャを通して、ＣＣＤセル（charge-coupled-device ：電荷結合素子）やＣＭＯＳセル（complementary metal oxide semiconductor ：相補型金属酸化膜半導体）等の適切な電子手段上に可視画像が形成される。さらに、カメラモジュールの光学系は、開口絞り等のような画像の形成に影響を与える別の部分を具備することも可能である。
【０００７】
代表的には、カメラモジュールで一般に使用される材料の熱安定性を考慮して、カメラモジュールは、別の部品の組み立ておよびはんだ付けが行われた後でプリント配線基板上に取り付けられる。上記熱安定性は、多くの場合、別の部品の接続処理時に使用される温度に対して保証される熱安定性に比べて低い。プリント配線基板への取り付けが意図される公知のカメラモジュールの構造では、カメラを接続するための接触子は、代表的には、柔構造（いわゆるフレキシブルタイプによる接続）の端部に配置されるか、または、上記接触子は、カメラモジュールの底部、すなわち上記カメラモジュールのレンズ構造の反対側に配置される。
【０００８】
コネクタの接触子が柔構造の端部に配置されるようなフレキシブルタイプ構造では、接続手段がどこか別の場所に配置される場合、比較的小型のモジュールを形成することが可能である。当該カメラモジュールとして成形されるカメラモジュールのフレームの部分は、一般に接着を行うことにより携帯用電子装置の他の部分の構造に取り付けられる。しかしながら、上記のフレキシブルタイプ構造は、特に、フレキシブルタイプによる接続の構造の特徴や、フレームの部分およびコネクタ構造の両方が必要とする取り付け作業の観点からして、高速の組み立てにはあまりよく適合したものではない。
【０００９】
接触子がカメラモジュールの底部に配置されるようなカメラモジュールは、一般に別個のコネクタ部によってプリント配線基板上に配置される。それゆえに、このコネクタ部はプリント配線基板上に配置され、別の部品と同時に接続されることになる。熱伝達を必要とする作業段階の後に、コネクタ部の接触子に対応するコネクタを備えたカメラモジュールがフレームに取り付けられる。このような別個のコネクタ部によって、カメラモジュールは簡単に着脱され、必要に応じて、変更される。また一方で、カメラモジュールとプリント配線基板との間に位置しているコネクタ部によって、携帯用電子装置全体の構造の高さが増加する。
【００１０】
先行技術文献である特開２００２−１８５８２７号公報（２００２年６月２８日公開、出願人は松下電器産業株式会社）において、プリント配線基板に対して配置されるコネクタが底部に存在するようなカメラ構造が公知である。上記公報に準拠する構造によって、別々のコネクタ部を用いることなくプリント配線基板上にカメラモジュールを取り付けることが可能になり、これによって、構成部品の構造をさらに低くすることが可能となる。しかしながら、この場合、別々のコネクタ部が存在しないために、前述のような別々のコネクタ部を用いて行われる解決策の場合に比べて整備中等の部品交換がより面倒なものになる。
【発明の開示】
【発明が解決しようとする課題】
【００１１】
本発明は上記問題点に鑑みてなされたものであり、携帯用電子装置全体の構造を従来よりも低くすることを可能にするようなカメラモジュール構造を提供することを主たる目的とするものである。
【課題を解決するための手段】
【００１２】
上記目的を達成するために、本発明に係る携帯用電子装置は、独立形式の請求項１の特徴記載部分に開示されているように、少なくともカメラモジュールを備え、少なくとも、入力アパーチャを有する光学系ゾーン（optics zone ）と、上記カメラモジュールを受け側の接触子に接続するための接触子を少なくとも有するコネクタゾーン（connector zone）と、上記カメラモジュールおよびその他の構造を配置するための互いに平行な第１の側部と第２の側部とを含むプリント配線基板とを具備しており、上記カメラモジュールの上記光学系ゾーンと上記コネクタゾーンとが、上記プリント配線基板の異なる側部にそれぞれ定置されることを主たる特徴とするものである。
【００１３】
さらに、本発明は、カメラモジュールを携帯用電子装置に配置する方法に関し、この方法は、独立形式の請求項５の特徴記載部分に開示されているように、入力アパーチャとコネクタゾーンとを少なくとも具備する上記カメラモジュールが、上記携帯用電子装置の別の構造も配置されているプリント配線基板上に配設され、上記カメラモジュールの上記入力アパーチャが、上記プリント配線基板の一方の側部であって上記コネクタゾーンの側とは異なる側部上に定置されることを主たる特徴とするものである。
【００１４】
さらに、本発明は、カメラモジュールを取り付けるためのプリント配線基板に関し、このプリント配線基板は、独立形式の請求項８の特徴記載部分に開示されているように、当該プリント配線基板内にアパーチャが設けられ、上記プリント配線基板内の上記アパーチャを貫通して上記カメラモジュールの少なくとも一部が配置されることが可能であり、上記カメラモジュールが適切な位置にあるときに、上記カメラモジュールと上記プリント配線基板との間の接触子が電気コンタクトを形成するように構成されることを主たる特徴とするものである。
さらに、本発明は、プリント配線基板、および、カメラモジュールを取り付けるために当該プリント配線基板に接続されるフレーム構造に関し、このプリント配線基板およびフレーム構造は、独立形式の請求項９の特徴記載部分に開示されているように、上記プリント配線基板内にアパーチャが設けられ、上記プリント配線基板の他方の側部に配置される上記フレーム構造内にアパーチャが設けられ、上記フレーム構造のアパーチャを貫通して上記プリント配線基板のアパーチャに向かって、上記カメラモジュールの少なくとも一部が配置され得るような形式で、上記の２つのアパーチャが配設されることを主たる特徴とするものである。
【００１５】
さらに、本発明はフレーム構造に関し、このフレーム構造は、独立形式の請求項１１の特徴記載部分に開示されているように、カメラモジュールを配置するためにプリント配線基板上に配置されると共に、上記カメラモジュールを接続するための接触子と、上記フレーム構造内に上記カメラモジュールを配置するための、第１の側部の取り付け用アパーチャとを具備し、上記取り付け用アパーチャに接続される上記フレーム構造の第２の側部にアパーチャが設けられることを主たる特徴とするものである。
【００１６】
さらに、本発明は、フレーム構造の一部に関連したカメラモジュールに関し、このカメラモジュールは、独立クレーム１４の特徴記載部分に開示されているように、プリント配線基板上に配置されると共に、入力アパーチャを有する光学系ゾーンと、上記カメラモジュールを受け側の接触子に接続するための接触子を少なくとも有するコネクタゾーンとを具備し、かつ、上記カメラモジュールの作用方向が、上記コネクタゾーンから上記入力アパーチャへの方向とほぼ同じになるように構成され、上記カメラモジュールの上記光学系ゾーンが、少なくとも部分的に、上記プリント配線基板を貫通して配置されることが可能であり、上記コネクタゾーン内の上記接触子は、上記カメラモジュールの上記作用方向に対して平行な少なくとも１つの側部に配置されるか、または、少なくとも上記光学系ゾーンの上記入力アパーチャの側部に配置されるか、または、上記カメラモジュールの上記作用方向に対して平行な少なくとも１つの側部と、上記光学系ゾーンの上記入力アパーチャの側部とに配置されることを主たる特徴とするものである。
【００１７】
その他の従属形式の請求項は、本発明の幾つかの好ましい実施形態を示すものとなる。
【００１８】
本発明による解決方法では、プリント配線基板上にカメラモジュールを取り付けて、上記カメラモジュールのコネクタからプリント配線基板の一方の側部にカメラの入力アパーチャ、すなわち、一般にレンズ口径を設けるようにすることが可能である。上記カメラモジュールの光学系ゾーンを配置することが可能なプリント配線基板内にアパーチャを設ける必要がある。好ましくは、上記カメラモジュールの光学系ゾーンは、その直径に関してコネクタゾーンよりも狭くなるようにすることが望ましい。この場合、カメラモジュールの取り付け中、カメラモジュールは、コネクタゾーンの拡張部上で傾斜することになる。好ましくは、カメラモジュールがアダプタ部に接続され、上記カメラモジュールの接触子に対応する接触子が設けられることが望ましい。上記アダプタ部は、好ましくは、上記カメラモジュールのコネクタゾーンの周囲でプリント配線基板のレベルで定置されるフレーム様の構造であることが望ましい。本発明による第１の実施形態では、上記カメラモジュールのコネクタゾーンの接触子は、コネクタゾーンのプリント配線基板の側部に定置される。別の実施形態では、上記接触子は、上記カメラモジュールの１つまたは２つ以上の光軸方向の側部に配置される。
【００１９】
本発明による１つの好ましい実施形態では、カメラモジュールは、簡単に取り付けることが可能な組み立て品であってもよいし、また必要に応じて、別の部品を取り付けた後に取り付けられる組み立て品であってもよい。さらに、組み立てという観点から見た場合、上記カメラモジュールの光学系を下方に定置することが好ましい。なぜならば、この場合、カメラモジュールの光学系が損傷を受ける危険性が大幅に減少するからである。
【００２０】
本発明によれば、携帯用電子装置を従来よりも低くすることが可能になる。なぜならば、カメラモジュールがプリント配線基板の両方の側部に定置される場合、当該カメラモジュールは、別の部品の取り付けに必要なスペースのみならず、プリント配線基板の厚さが必要とするスペースも利用するからである。このような利点は、上記実施形態の当該アプリケーションにおいて特に明らかになるであろう。この場合、カメラモジュールは、プリント配線基板上に配置される最大の部品のうちの１つであり、その他の部品はプリント配線基板の両側に配置される。
【００２１】
本発明の幾つかの実施形態では、機械的干渉および電気的干渉に対してカメラモジュールが容易に保護されるようになっている。ここでは、コネクタ側からカメラモジュールを簡単にケースに入れることが可能である。なぜならば、光学系にとって引き込み線やその他の特別の構造が不要となり、カメラモジュールの裏面がほぼ平坦になるからである。
【００２２】
本発明に係るカメラモジュールは簡単に支持される。なぜならば、コネクタゾーンの側部上に設けられたスプリング様のコネクタのスプリングバック係数を用いて、プリント配線基板の方へカメラモジュールを押圧することが可能になるからである。
【発明を実施するための最良の形態】
【００２３】
以下、添付図面を参照しながら、本発明の好適な実施形態に関してより詳細に説明する。
【００２４】
これらの添付図面は、本発明の主旨を明確にすることを目的として、本発明を理解するために必要な細部のみを示すものにすぎない。ここで、本発明の特徴を強調するために、本発明を理解する上で必要でない構造および細部であって、いずれの当業者にも自明な構造および細部は、上記添付図面では省略されている。
【００２５】
本発明の好ましい実施形態では、カメラモジュール１０は、プリント配線基板３０上に配設されたフレーム（すなわち、フレーム構造）２０内に配置される。ここでは、移動通信装置でのデータ転送やデータ編集に必要な部品等の携帯用電子装置内で必要なその他の部品もまた、同一のプリント配線基板上に配設される。当該実施形態に係る幾つかのカメラモジュール１０の構造およびフレーム２０の構造を図１〜図４に図示する。
【００２６】
カメラモジュール１０は、本願明細書中でゾーン（zone）と呼ばれるような異なる機能部品を具備する。ここでは、カメラモジュール１０は、光学系ゾーン１１およびコネクタゾーン１４に加えて、特に図示されていないＣＣＤセルやＣＭＯＳセル等の他のゾーンおよび部品を具備している。
【００２７】
光学系ゾーン１１は、画像を光学的に形成するために、入力アパーチャ１２を通して作用方向（direction of function ）１の方へ開いているようなレンズ構造を少なくとも具備している。このレンズ構造は、１つまたは２つ以上のレンズにより構成されることが可能である。ここでは、入力アパーチャ１２は、光学素子の最大の使用可能領域を意味している。この光学素子は、１つのアパーチャ、すなわちレンズの表面であってもよい。入力アパーチャ１２、すなわち、一般にレンズ口径を通して、カメラモジュール１０の作用方向１に対して平行ないわゆる光軸１３が、記録済みの対象物体からレンズ構造を経由して画像センサ、すなわち一般にＣＭＯＳセルやＣＣＤセルへ伸びている。
【００２８】
カメラモジュール１０と他の機器との間でデータを転送するために、カメラモジュール内にコネクタゾーン１４が設けられている。このコネクタゾーン１４は、接触子１５を少なくとも具備している。この接触子１５によって、カメラモジュール１０は、上記機器の残りの部分の電気回路に対し電気的に接続される。さらに、コネクタゾーン１４において、カメラモジュール１０を機械的に取り付けるための機械的取り付け要素を好適に設けることが可能である。この機械的取り付け要素は、電気的な接続がなされるように設計された接触子１５と同じ要素であることが望ましい。接触子１５の数は、ほとんど全ての場合、カメラモジュール１０のセルの特性に依存している。本発明は上記接触子の数に依存するものではない。
【００２９】
本発明に係るカメラモジュール１０は、本発明に従って、プリント配線基板３０に接続されたフレーム２０内に配置される。この場合、上記カメラモジュールの光学系ゾーン１１は、実質的にフレームの内部に定置され、かつ、実質的にプリント配線基板を貫通して定置されるようになっている。したがって、フレーム２０は、少なくとも、光学系ゾーン１１用のアパーチャ２１と、カメラモジュール１０の接触子１５に対応する受け側の接触子２２と、プリント配線基板３０に接続するための接続要素とを具備することになる。さらに、カメラモジュール１０を機械的に取り付けるための機械的取り付け要素を好適にフレーム２０内に設けることが可能である。この機械的取り付け要素は、受け側の接触子２２と同じ要素であることが望ましい。
【００３０】
プリント配線基板３０は通常多層化されるが、プリント配線基板の構造は、本発明の基本的な技術思想を変えることなく広範囲に変更することが可能である。本発明に係るフレーム２０は、当該フレームのアパーチャ２１と、プリント配線基板内のアパーチャ３１との心合せを行いながら、プリント配線基板３０に接続される。この場合、カメラモジュール１０の光軸１３が当該アパーチャの中を通るように、上記光軸１３を調整することが可能である。さらに、この場合、プリント配線基板の一方の側部に上記カメラモジュールの作用方向１を形成しながら、プリント配線基板の他方の側部にフレームを定置することが可能である。さらに、通常はプリント配線基板の両側に配置されるような上記機器で必要とされる他の部品および要素が、プリント配線基板３０に接続される。
【００３１】
本発明に係るカメラモジュール１０の接触子１５、２２およびフレーム２０は、多くの様々な方法で形成することが可能である。好ましくは、図１および図２の対、または図３および図４の対のいずれか一方に従って、接触子１５、２２が配設される。
【００３２】
図１は、本発明の第１の実施形態に係るフレーム構造を示す側面図であり、図２は、図１に準拠するカメラモジュールの実施形態をレンズ口径側から示す図である。
図１および図２に示す本発明の１つの実施形態では、カメラモジュール１０の光軸１３に対して垂直な面上に存在する接触子１５は、コネクタゾーン１４の光学系ゾーン１１の側の側部に存在する。この実施形態の例によれば、カメラモジュール１０の光軸１３の個々の側部に接触子１５を形成することが可能である。あるいは、１つまたは２つ以上の側部に上記接触子を設けてもよい。
【００３３】
それゆえに、図１によれば、カメラモジュール１０の接触子１５に対して定置されるフレーム２０の受け側の接触子２２は、プリント配線基板３０により形成される平面に対してほぼ平行な同一平面上に存在することになる。
【００３４】
カメラモジュール１０およびフレーム２０の両方の接触要素（接触子）１５、２２は幾つかの異なる方法で実現することができる。しかしながら、カメラモジュール１０の接触子１５、または好適にはフレーム２０の受け側の接触子２２のいずれ一方が、クリップ様等の可撓性を有することが好ましい。この場合には、上記カメラモジュールの接触子とフレームとの間にローディング力（loading force ）が生じる。したがって、振動の影響が続いている間や、振動の外側に位置している場合等のように、起こり得る可能性のある部品の一時的な移動が生じる場合でも、カメラモジュール１０とフレーム２０との間の電気的接続はそのまま残ることになる。
【００３５】
図３は、本発明の第２の実施形態に係るフレーム構造を示す側面図であり、図４は、図３に準拠するカメラモジュールの実施形態をレンズ口径側から示す図である。
図３および図４に示す本発明の第２の実施形態では、カメラモジュール１０の接触子１５は、コネクタゾーン１４の光軸１３の方向に平行な側部に存在する。また、本実施形態では、接触子１５は、図４の例に従って、１つまたは２つ以上の側部に存在してもよく、例えば、光軸１３の方向に平行なあらゆる側部に存在してもよい。
【００３６】
同様に、本実施形態では、カメラモジュール１０およびフレーム２０の接触要素（接触子）１５、２２は、幾つかの異なる方法で実現することができる。しかしながら、ここでも、前述の第１の実施形態に関連して記述された理由によって、カメラモジュール１０の接触子１５、または好適にはフレーム２０の受け側の接触子２２のいずれか一方が、クリップ様等の可撓性を有することが好ましい。この場合にも、上記カメラモジュールの接触子とフレームとの間にローディング力が生じる。さらに、当該実施形態では、カメラモジュール１０を適切な位置に保持する際に、上記のローディング力を利用することが可能である。好ましくは、フレーム２０の受け側の接触子２２を個々の側部に設けることによって、これらの受け側の接触子２２のスプリング様の構造により生成されるローディング力がカメラモジュール１０に向けられるようにし、これによって、プリント配線基板３０の方へカメラモジュールを押圧する力が当該カメラモジュールに向けられるようにすることが望ましい。
【００３７】
ここでは、上記の接触子１５、２２の配置構成の組み合わせも可能であり、さらに、比較的多数の接触子がカメラモジュール１０で必要な場合、前述のような方法は好都合である。
【００３８】
本発明の第３の実施形態に係るフレーム構造を図５に示す。当該実施形態の例では、カメラモジュール１０は、図１のカメラモジュール１０とほぼ同じである。すなわち、上記カメラモジュールの接触子１５は、カメラモジュール１０の光軸１３に対して垂直な面上であってコネクタゾーン１４の光学系ゾーン１１の側の側部に存在する。図１に示すフレーム２０の受け側の接触子２２は、本実施形態では、プリント配線基板３０の上に直接配設される。それゆえに、カメラモジュール１０の接触子１５は、受け側の接触子に対して定置されることになる。この場合、上記受け側の接触子は、本実施形態では、プリント配線基板３０と接続するように構成された受け側の接触子３２である。カメラモジュール１０の取り付けは、当該カメラモジュール１０の一部として、例えば適切な取り付け要素を接着したり、適切な取り付け要素を設けたりする等の幾つかの異なる方法によって実現可能である。
【００３９】
本発明の第４の実施形態に係るフレーム構造を図６に示す。当該実施形態の例では、カメラモジュール１０の接触子１５は、このカメラモジュールの構成部品本体、すなわちパッケージから出ているリード線の端部のコネクタゾーン１４内に存在する。図６の接触子１５の接触面は、カメラモジュール１０の光軸１３に対して垂直な面上であって光学系ゾーン１１の側のコネクタゾーン１４内に配置される。それゆえに、カメラモジュール１０の接触子１５は、受け側の接触子に対して定置されることになる。この場合、上記受け側の接触子は、本実施形態では、前回の実施形態の例の場合のように、プリント配線基板３０と接続するように構成される。カメラモジュール１０の接触子１５は、例えば、はんだ付けや接着によって適切に受け側の接触子３２に接続される。ある実施形態では、カメラモジュール１０の接触子１５はスプリング様になっている。この場合、上記のカメラモジュールの取り付けは、スプリングバック係数を用いて実現することが可能である。ここでは、カメラモジュール１０を予め定められた位置に配置し、これによって、上記カメラモジュールの接触子１５が受け側の接触子３２を押圧するようにしている。カメラモジュール１０の取り付けは、例えば、適切な取り付け要素の接着を行ったり、適切な取り付け要素を設けたりすることによって、幾つかの異なる方法でも同様に実現可能である。ある実施形態では、カメラモジュール１０の取り付けは、保護シェル２３によって実現される。したがって、保護シェル２３は、配線基板３０に直接取り付けるか、または、フレーム２０を用いて取り付けるかのいずれかになる。この場合、保護シールドと配線基板との間に定置されているカメラモジュールは、その定置されている位置にそのまま残ることになる。
【００４０】
本発明に基づく接触子１５、２２および３２の配置では、カメラモジュール１０（すなわち、光アパーチャ（入力アパーチャ）１２）の作用方向１の反対側には接触子は存在しない。それゆえに、電磁放射線に対するカメラモジュール１０の保護を実現することが容易になる。ここでは、カメラモジュール１０およびフレーム２０の一部として、上記の保護を実現することが可能であり、あるいは、保護シェル２３や保護プレート等の別々の保護要素を用いて上記の保護を構成することが可能である。組み立てという観点から見て、好ましい方法として、電磁気干渉放射を制限するような適切な材料によりフレーム２０を形成する方法がある。カメラモジュールがフレームにぴったり合う場合に、可能なフレーム２０の外側に必然的に存在するカメラモジュール１０の領域は、カメラモジュール１０の一部に対してコーティングを行ったり、そうでない場合には、電磁放射線による放射を減衰させる材料を形成したりするのに好都合である。同様に、図５に示したようなフレームのない実施形態において、カメラモジュール１０全体またはその一部に対して放射減衰用材料によるコーティングを行ったり、そうでない場合には、カメラモジュール１０全体またはその一部を放射減衰用材料により形成したりすることが有利である。したがって、組み立て時に、部品の取り付けを行っている最中に、別個の処理手順を必要とせずに電磁気干渉に対する保護が形成されることになる。
【００４１】
種々の方法で、前述のような本発明の幾つかの実施形態に関して呈示されているモードおよび構造を組み合わせることにより、本発明の精神に基づいて本発明の種々の実施形態を生成することが可能である。それゆえに、前述のような幾つかの実施形態の例は、本発明を限定するものであると解釈されるべきではない。それどころか、添付の特許請求の範囲の請求項に示されている本発明の特徴の範囲内で、本発明の実施形態を任意に変更することが可能である。
【図面の簡単な説明】
【００４２】
【図１】本発明の第１の実施形態に係るフレーム構造を示す側面図である。
【図２】図１に準拠するカメラモジュールの実施形態をレンズ口径側から示す図である。
【図３】本発明の第２の実施形態に係るフレーム構造を示す側面図である。
【図４】図３に準拠するカメラモジュールの実施形態をレンズ口径側から示す図である。
【図５】本発明の第３の実施形態に係るフレーム構造を示す側面図である。
【図６】本発明の第４の実施形態に係るフレーム構造を示す側面図である。
【図１】
2006516358.tif 000003
【図２】
2006516358.tif 000004
【図３】
2006516358.tif 000005
【図４】
2006516358.tif 000006
【図５】
2006516358.tif 000007
【図６】
2006516358.tif 000008
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
入力アパーチャ（１２）を有する光学系ゾーン（１１）とコネクタゾーン（１４）とを具備するカメラモジュール（１０）と、
前記カメラモジュール（１０）およびその他の構造を配置するための互いに平行な第１の側部と第２の側部とを含むプリント配線基板（３０）とを備えており、
前記カメラモジュール（１０）の前記光学系ゾーン（１１）と前記コネクタゾーン（１４）とが、前記プリント配線基板（３０）の異なる側部にそれぞれ定置され、
前記コネクタゾーン（１４）は、
カメラモジュール（１０）を受け側の接触子（２２、３２）に電気的に接続するための接触子（１５）と、
前記カメラモジュール（１０）を機械的に取り付けるための機械的取り付け要素とを具備しており、
前記機械的取り付け要素は、電気的接続用として設計された接触子（１５）と同じ要素となるようにすることを特徴とする携帯用電子装置。
【請求項２】
前記接触子（１５）および前記受け側の接触子（２２、３２）の少なくとも一部が、前記カメラモジュールを取り付けるために、前記接触子（１５）と前記受け側の接触子（２２、３２）との間にローディング力が生じるように構成されることを特徴とする請求項１に記載の携帯用電子装置。
【請求項３】
前記ローディング力が、スプリング様の接触子（１５、２２および３２）によって生成されることを特徴とする請求項２に記載の携帯用電子装置。
【請求項４】
前記携帯用電子装置が、さらに、少なくともフレーム構造（２０）を備えており、前記フレーム構造（２０）は、少なくとも、
カメラモジュール（１０）を接続するための接触子（２２）と、
前記フレーム構造において前記プリント配線基板（３０）に対して配置され、かつ、前記第１の側部または前記第２の側部上に存在するアパーチャ（２１）とを具備し、
前記カメラモジュール（１０）の前記光学系ゾーン（１１）が、少なくとも部分的に、前記フレーム構造（２０）の前記アパーチャ（２１）の内部に配置されることを特徴とする請求項１から３のいずれか一項に記載の携帯用電子装置。
【請求項５】
前記携帯用電子装置が、無線でデータを転送するように構成されることを特徴とする請求項１から４のいずれか一項に記載の携帯用電子装置。
【請求項６】
カメラモジュール（１０）を携帯用電子装置に配置するための方法であって、
入力アパーチャ（１２）とコネクタゾーン（１４）とを具備する前記カメラモジュール（１０）が、前記携帯用電子装置のプリント配線基板（３０）上に配設され、
前記カメラモジュール（１０）の前記入力アパーチャ（１２）が、前記プリント配線基板（３０）の一方の側部であって前記コネクタゾーン（１４）の側とは異なる側部上に定置され、
前記コネクタゾーン（１４）が、前記カメラモジュール（１０）を受け側の接触子（２２、３２）に電気的に接続するための接触子（１５）を具備し、該接触子（１５）の少なくとも一部が、前記カメラモジュールを電気的および機械的に取り付けることを特徴とする、カメラモジュールを携帯用電子装置に配置する方法。
【請求項７】
前記カメラモジュールを取り付けるために、少なくとも幾つかの前記接触子（１５）と前記受け側の接触子（２２、３２）との間にローディング力が生じることを特徴とする請求項６に記載の方法。
【請求項８】
前記ローディング力が、スプリング様の接触子（１５、２２および３２）によって生成されることを特徴とする請求項７に記載の方法。
【請求項９】
フレーム構造（２０）を介して、前記プリント配線基板（３０）上に前記カメラモジュール（１０）が配設され、さらに、前記プリント配線基板（３０）は、該プリント配線基板を貫通するアパーチャ（３１）を少なくとも具備しており、
前記フレーム構造（２０）は、前記プリント配線基板（３０）の他方の側部に定置されているアパーチャ（２１）を少なくとも具備しており、
前記アパーチャ（３１、２１）は、前記カメラモジュール（１０）が、少なくとも部分的に、前記プリント配線基板の前記アパーチャ（３１）の内部、および前記フレーム構造の前記アパーチャ（２１）の内部に配置され得るような形式で互いに配設されていることを特徴とする請求項６から８のいずれか一項に記載の方法。
【請求項１０】
プリント配線基板（３０）、および、カメラモジュール（１０）を取り付けるために前記プリント配線基板（３０）に接続されるフレーム構造（２０）であって、
前記プリント配線基板（３０）がアパーチャ（３１）を有し、
前記フレーム構造（２０）が、前記プリント配線基板（３０）に対して配置され、かつ、前記プリント配線基板（３０）の側部上に存在するアパーチャ（２１）を有し、
前記フレーム構造（２０）の前記アパーチャ（２１）を貫通して前記プリント配線基板（３０）の前記アパーチャ（３１）に向かって、前記カメラモジュール（１０）の少なくとも一部が配置され得るような形式で、前記アパーチャ（２１、３１）が配設され、
前記フレーム構造（２０）は、
前記カメラモジュール（１０）を前記フレーム構造（２０）に電気的に接続するための接触子（２２）と、
前記カメラモジュール（１０）を機械的に取り付けるための機械的取り付け要素とを有し、
前記機械的取り付け要素のうちの少なくとも幾つかの要素が、電気的接続用として設計された接触子（２２）と同じ要素となるようにすることを特徴とする、プリント配線基板およびフレーム構造。
【請求項１１】
請求項１０に記載のプリント配線基板（３０）、および、前記プリント配線基板（３０）に接続されるフレーム構造（２０）であって、
前記フレーム構造（２０）の前記接触子（２２）と、前記カメラモジュール（１０）の対応する接触子（１５）との少なくとも一部が、前記カメラモジュールを取り付けるために、前記接触子（１５、２２）間にローディング力が生じるように構成されることを特徴とするプリント配線基板およびフレーム構造。
【請求項１２】
請求項１１に記載のプリント配線基板（３０）、および、前記プリント配線基板（３０）に接続されるフレーム構造（２０）であって、
前記ローディング力が、スプリング様の接触子（１５、２２）によって生成されることを特徴とするプリント配線基板およびフレーム構造。
【請求項１３】
請求項１０から１２のいずれか一項に記載のプリント配線基板（３０）、および、前記プリント配線基板（３０）に接続されるフレーム構造（２０）であって、
カメラモジュール（１０）を接続するために前記フレーム構造（２０）内に接触子（２２）が設けられ、前記接触子（２２）は、
少なくとも前記プリント配線基板（３０）の方向に対して平行な側部に配置されるか、または、
前記プリント配線基板（３０）に対してほぼ垂直な少なくとも１つの側部に配置されるか、または、
少なくとも、前記プリント配線基板（３０）の方向に対して平行な第１の側部と、前記プリント配線基板（３０）に対してほぼ垂直な第２の側部とに配置されることを特徴とするプリント配線基板およびフレーム構造。
【請求項１４】
カメラモジュール（１０）を配置するためにプリント配線基板（３０）上に配置されるフレーム構造（２０）であって、前記フレーム構造は、前記フレーム構造（２０）内に前記カメラモジュール（１０）を配置するための、第１の側部の取り付け用アパーチャを有しており、
前記フレーム構造は、さらに、
前記カメラモジュール（１０）を前記フレーム構造（２０）に電気的に接続するための接触子（２２）と、
前記カメラモジュール（１０）を機械的に取り付けるための機械的取り付け要素とを具備しており、
前記機械的取り付け要素のうちの少なくとも幾つかの要素が、電気的接続用として設計された接触子（２２）と同じ要素となるようにすることを特徴とするフレーム構造。
【請求項１５】
前記フレーム構造（２０）の前記接触子（２２）と、前記カメラモジュール（１０）の対応する接触子（１５）との少なくとも一部が、前記カメラモジュールを取り付けるために、前記接触子（１５、２２）間にローディング力が生じるように構成されることを特徴とする請求項１４に記載のフレーム構造。
【請求項１６】
前記ローディング力が、スプリング様の接触子（１５、２２）によって生成されることを特徴とする請求項１５に記載のフレーム構造。
【請求項１７】
請求項１４から１６のいずれか一項に記載のフレーム構造（２０）であって、前記フレーム構造（２０）の前記接触子（２２）は、
少なくとも前記アパーチャ（２１）と同一の側部に配置されるか、または、
前記アパーチャ（２１）を有する側部に対してほぼ垂直な少なくとも１つの側部に配置されるか、または、
少なくとも、前記アパーチャ（２１）と同一の第１の側部と、前記第１の側部に対してほぼ垂直な第２の側部とに配置されることを特徴とするフレーム構造。
【請求項１８】
プリント配線基板（３０）上に配置されるカメラモジュール（１０）であって、前記カメラモジュールは、
入力アパーチャ（１２）を有する光学系ゾーン（１１）と、
コネクタゾーン（１４）とを具備しており、
ここに、前記カメラモジュール（１０）は、前記コネクタゾーン（１４）から前記入力アパーチャ（１２）への方向とほぼ同じ作用方向（１）を有しており、
前記カメラモジュール（１０）の前記光学系ゾーン（１１）が、少なくとも部分的に、前記プリント配線基板（３０）を貫通して配置されることが可能であり、
前記コネクタゾーン（１４）は、
前記カメラモジュール（１０）を前記フレーム構造（２０）に電気的に接続するための接触子（１５）と、
前記カメラモジュール（１０）を機械的に取り付けるための機械的取り付け要素とを具備しており、
前記機械的取り付け要素のうちの少なくとも幾つかの要素が、電気的接続用として設計された接触子（１５）と同じ要素となるようにすることを特徴とするカメラモジュール。
【請求項１９】
前記コネクタゾーン（１４）内の前記接触子（１５）が、
前記カメラモジュール（１０）の前記作用方向（１）に対して平行な少なくとも１つの側部に配置されるか、または、
少なくとも前記光学系ゾーン（１１）の前記入力アパーチャ（１２）の側部に配置されるか、または、
前記カメラモジュール（１０）の前記作用方向（１）に対して平行な少なくとも１つの側部と、前記光学系ゾーン（１１）の前記入力アパーチャ（１２）の側部に配置されることを特徴とする請求項１８に記載のカメラモジュール。
【手続補正２】
【補正対象書類名】明細書
【補正対象項目名】０００１
【補正方法】変更
【補正の内容】
【０００１】
本発明は、（添付の請求項１の序文に記載されているように）入力アパーチャを有する光学系ゾーンとコネクタゾーンとを具備するカメラモジュールと、このカメラモジュールおよびその他の構造を配置するための互いに平行な第１の側部と第２の側部とを含むプリント配線基板（ＰＷＢ：printed wiring board）とを備え、上記カメラモジュールの上記光学系ゾーンと上記コネクタゾーンとが、上記プリント配線基板の異なる側部にそれぞれ定置される携帯用電子装置に関する。
【手続補正３】
【補正対象書類名】明細書
【補正対象項目名】０００２
【補正方法】変更
【補正の内容】
【０００２】
さらに、本発明は、（添付の請求項６の序文に記載されているように）入力アパーチャとコネクタゾーンとを具備するカメラモジュールが、携帯用電子装置のプリント配線基板上に配設され、上記カメラモジュールの入力アパーチャが、プリント配線基板の一方の側部であって上記コネクタゾーンの側とは異なる側部上に定置される場合のように、カメラモジュールを携帯用電子装置に配置する方法に関する。
【手続補正４】
【補正対象書類名】明細書
【補正対象項目名】０００３
【補正方法】変更
【補正の内容】
【０００３】
さらに、本発明は、（添付の請求項１０の序文に記載されているように）プリント配線基板、および、カメラモジュールを取り付けるために当該プリント配線基板に接続されるフレーム構造に関する。
【手続補正５】
【補正対象書類名】明細書
【補正対象項目名】０００４
【補正方法】変更
【補正の内容】
【０００４】
さらに、本発明は、（添付の請求項１４の序文に記載されているように）カメラモジュールを配置するためにプリント配線基板上に配置されるフレーム構造であって、このフレーム構造内に上記カメラモジュールを配置するための、第１の側部の取り付け用アパーチャを有するようなフレーム構造に関する。
【手続補正６】
【補正対象書類名】明細書
【補正対象項目名】０００５
【補正方法】変更
【補正の内容】
【０００５】
さらに、本発明は、（添付の請求項１８の序文に記載されているように）プリント配線基板上に配置されると共に、入力アパーチャを有する光学系ゾーンと、コネクタゾーンとを具備し、かつ、このコネクタゾーンから入力アパーチャへの方向とほぼ同じ作用方向を有し、さらに、上記光学系ゾーンが、上記プリント配線基板を貫通して配置されるカメラモジュールに関する。
【手続補正７】
【補正対象書類名】明細書
【補正対象項目名】００１２
【補正方法】変更
【補正の内容】
【００１２】
上記目的を達成するために、本発明に係る携帯用電子装置は、独立形式の請求項１の特徴記載部分に開示されているように、入力アパーチャを有する光学系ゾーン（optics zone ）とコネクタゾーン（connector zone）とを具備するカメラモジュールと、このカメラモジュールおよびその他の構造を配置するための互いに平行な第１の側部と第２の側部とを含むプリント配線基板とを備え、上記カメラモジュールの上記光学系ゾーンと上記コネクタゾーンとが、上記プリント配線基板の異なる側部にそれぞれ定置され、上記コネクタゾーンは、上記カメラモジュールを受け側の接触子に電気的に接続するための接触子と、上記カメラモジュールを機械的に取り付けるための機械的取り付け要素とを具備しており、上記機械的取り付け要素は、電気的接続用として設計された接触子と同じ要素となるようにすることを主たる特徴とするものである。
【手続補正８】
【補正対象書類名】明細書
【補正対象項目名】００１３
【補正方法】変更
【補正の内容】
【００１３】
さらに、本発明は、カメラモジュールを携帯用電子装置に配置する方法に関し、この方法は、独立形式の請求項６の特徴記載部分に開示されているように、入力アパーチャとコネクタゾーンとを具備するカメラモジュールが、携帯用電子装置のプリント配線基板上に配設され、上記カメラモジュールの入力アパーチャが、プリント配線基板の一方の側部であって上記コネクタゾーンの側とは異なる側部上に定置され、上記コネクタゾーンが、上記カメラモジュールを受け側の接触子に電気的に接続するための接触子を具備し、これらの接触子の少なくとも一部が、上記カメラモジュールを電気的および機械的に取り付けることを主たる特徴とするものである。
【手続補正９】
【補正対象書類名】明細書
【補正対象項目名】００１４
【補正方法】変更
【補正の内容】
【００１４】
さらに、本発明は、プリント配線基板、および、カメラモジュールを取り付けるために当該プリント配線基板に接続されるフレーム構造に関し、このプリント配線基板およびフレーム構造では、請求項１０の特徴記載部分に開示されているように、上記プリント配線基板がアパーチャを有しており、また一方で、上記フレーム構造が、上記プリント配線基板に対して配置され、かつ、上記プリント配線基板の側部上に存在するアパーチャを有しており、上記フレーム構造のアパーチャを貫通して上記プリント配線基板のアパーチャに向かって、上記カメラモジュールの少なくとも一部が配置され得るような形式で、上記の２つのアパーチャが配設され、さらに、上記フレーム構造は、上記カメラモジュールを上記フレーム構造に電気的に接続するための接触子と、上記カメラモジュールを機械的に取り付けるための機械的取り付け要素とを有しており、上記機械的取り付け要素のうちの少なくとも幾つかの要素が、電気的接続用として設計された接触子と同じ要素となるようにすることを主たる特徴とするものである。
【手続補正１０】
【補正対象書類名】明細書
【補正対象項目名】００１５
【補正方法】変更
【補正の内容】
【００１５】
さらに、本発明はフレーム構造に関し、このフレーム構造は、独立形式の請求項１４の特徴記載部分に開示されているように、カメラモジュールを配置するためにプリント配線基板上に配置されるフレーム構造であって、このフレーム構造内に上記カメラモジュールを配置するための、第１の側部の取り付け用アパーチャを有し、上記カメラモジュールを上記フレーム構造に電気的に接続するための接触子と、上記カメラモジュールを機械的に取り付けるための機械的取り付け要素とを具備しており、上記機械的取り付け要素のうちの少なくとも幾つかの要素が、電気的接続用として設計された接触子と同じ要素となるようにすることを主たる特徴とするものである。
【手続補正１１】
【補正対象書類名】明細書
【補正対象項目名】００１６
【補正方法】変更
【補正の内容】
【００１６】
さらに、本発明は、フレーム構造の一部に関連したカメラモジュールに関し、このカメラモジュールは、独立クレーム１８の特徴記載部分に開示されているように、プリント配線基板上に配置されると共に、入力アパーチャを有する光学系ゾーンと、コネクタゾーンとを具備し、かつ、このコネクタゾーンから入力アパーチャへの方向とほぼ同じ作用方向を有し、さらに、上記光学系ゾーンが、上記プリント配線基板を貫通して配置されることが可能であり、上記コネクタゾーンは、上記カメラモジュールを上記フレーム構造に電気的に接続するための接触子と、上記カメラモジュールを機械的に取り付けるための機械的取り付け要素とを具備しており、上記機械的取り付け要素のうちの少なくとも幾つかの要素が、電気的接続用として設計された接触子と同じ要素となるようにすることを主たる特徴とするものである。


【国際調査報告】
2006516358.tif 000009
2006516358.tif 000010